(57)【要約】      （修正有）【課題】より簡便な構成で便器本体の洗浄性及び清掃性を維持しつつ、便器本体の意匠性を向上させる。【解決手段】洗浄水により便器本体２を洗浄する水洗大便器１であって、ボウル形状の汚物受け面１４と、汚物受け面の上縁部に沿って形成されその内周面が鉛直方向に立ち上がるように形成されたリム部１６と、を有するボウル部８と、ボウル部に洗浄水を吐水して旋回流を形成する吐水口１８と、吐水口に洗浄水を供給する導水路２０と、を備え、導水路の下流端部には、絞り流路２２が形成され、吐水口は、横長形状の開口であり、ボウル部の後半部において、上面視で、ボウル部の前後方向に沿う直線と、リム部の内周面を表す曲線上の吐水口の幅の中央位置Ｃ２における接線Ｐに対する垂線Ｔと、のなす角が４５度となる位置よりも前方に形成されている水洗大便器。【選択図】図４
2017160656.tif 000002
【特許請求の範囲】
【請求項１】
洗浄水により便器本体を洗浄する水洗大便器であって、
ボウル形状の汚物受け面と、前記汚物受け面の上縁部に沿って形成されその内周面が鉛直方向に立ち上がるように形成されたリム部と、を有するボウル部と、
前記ボウル部に洗浄水を吐水して旋回流を形成する吐水口と、
前記吐水口に洗浄水を供給する導水路と、を備え、
前記導水路の下流端部には、絞り流路が形成され、
前記吐水口は、横長形状の開口であり、前記ボウル部の後半部において、上面視で、前記ボウル部の前後方向に沿う直線と、前記リム部の内周面を表す曲線上の前記吐水口の幅の中央位置における接線に対する垂線と、のなす角が４５度となる位置よりも前方に形成されている
水洗大便器。
【請求項２】
前記吐水口の上下方向の大きさが、後方側よりも前方側の方が小さい
請求項１に記載の水洗大便器。
【請求項３】
前記導水路の下流端部には、流れ方向に沿って延びる板面が上下に配向した整流板が設けられている
請求項１又は請求項２に記載の水洗大便器。
【請求項４】
洗浄水源から前記導水路に洗浄水を吐水するディストリビューターを備える
請求項１乃至請求項３のいずれか１項に記載の水洗大便器。
【発明の詳細な説明】
【技術分野】
【０００１】
本発明は、洗浄水により便器本体を洗浄する水洗大便器に関する。
【背景技術】
【０００２】
従来から、ボウル形状の汚物受け面と汚物受け面の上縁部に沿って形成されるリム部とを有するボウル部と、ボウル部に洗浄水を吐水して旋回流を形成する第１の吐水口及び第２の吐水口とを備えた水洗大便器が知られている（例えば、特許文献１参照）。特許文献１に記載の水洗大便器において、リム部の内周面が略垂直方向に延びる平坦面により形成されている。つまり、リム部の内周面がオーバーハングした形状となっていない。そのため、リム部がオーバーハングしている水洗大便器に比べて、ボウル部の清掃性が向上する。
【０００３】
また、特許文献１に記載の水洗大便器において、第１の吐水口は、ボウル部の中心を通り前後方向に延びる線を挟んで一方の側の後方寄りに位置し、第２の吐水口は、第１の吐水口から吐水された洗浄水が最も飛散し易い領域であるボウル部の前後方向に延びる線を挟んで他方の側の前方寄りでリム部の曲率半径が小さい領域の下流側で曲率半径が大きくなる領域に位置している。そのため、第１の吐水口から吐水された洗浄水が、第２の吐水口から吐水される洗浄水によって誘導される。これにより、第１の吐水口から吐水された洗浄水がリム部を超えて飛散することを抑制している。
さらに、ボウル部の後部に位置している第１の吐水口は、水平方向に扁平な開口であるので、第１の吐水口から吐水される洗浄水の上方向の流れ成分を極力なくすことができる。これにより、リム部の内周面が略垂直方向に延びる平坦面により形成されている場合、つまり、リム部の内周面がオーバーハングしていない場合であっても、第１の吐水口から吐水された洗浄水がリム部を超えて飛散することをより効果的に抑制している。
【先行技術文献】
【特許文献】
【０００４】
【特許文献１】特開２０１２−２０７５０３号公報
【発明の概要】
【発明が解決しようとする課題】
【０００５】
しかしながら、上述した従来の水洗大便器において、第１の吐水口はボウル部の後部に形成されているので、第１の吐水口と水洗大便器の前方側に立った使用者とが対向することになる。言い換えると、水洗大便器の前方側に立った使用者から視認しやすい位置であるボウル部の後方側に、第１の吐水口が形成されている。そのため、水洗大便器の意匠性が低下してしまうといった懸念がある。
【０００６】
本発明は、上述した課題を解決するためになされたものであり、便器本体の洗浄性及び清掃性を維持しつつ、便器本体の意匠性を向上させることができる水洗大便器を提供することを目的とする。
【課題を解決するための手段】
【０００７】
上記目的を達成するために、本発明の一態様に係る水洗大便器によれば、洗浄水により便器本体を洗浄する水洗大便器であって、ボウル形状の汚物受け面と、汚物受け面の上縁部に沿って形成されその内周面が鉛直方向に立ち上がるように形成されたリム部と、を有するボウル部と、ボウル部に洗浄水を吐水して旋回流を形成する吐水口と、吐水口に洗浄水を供給する導水路と、を備え、導水路の下流端部には、絞り流路が形成され、吐水口は、横長形状の開口であり、ボウル部の後半部において、上面視で、ボウル部の前後方向に沿う直線と、リム部の内周面を表す曲線上の吐水口の幅の中央位置における接線に対する垂線と、のなす角が４５度となる位置よりも前方に形成されている。
【０００８】
この構成によれば、ボウル部の後半部において、上面視で、ボウル部の左右中心線と、リム部の内周面を表す曲線上の吐水口の幅の中央位置における接線に対する垂線とのなす角が４５度となる位置よりも吐水口が前方に形成されている。これにより、使用者が視認できる幅寸法を抑制することができ、使用者が吐水口を視認しにくくなる。そのため、便器本体の意匠性を向上させることができる。
さらに、導水路の下流端部には絞り流路が形成されているので、吐水口から吐水される水の勢いを向上させつつ、吐水の流れを規制することができる。加えて、吐水口が横長形状の開口であるので、吐水口から吐水される洗浄水の上方向の流れ成分を抑制することができる。そのため、内周面が鉛直方向に立ち上がるように形成された清掃性が高いリム部においても、ボウル部に形成される旋回流の旋回性を向上させることができる。
このように、便器本体の洗浄性及び清掃性を維持しつつ、便器本体の意匠性を向上させることができる。
【０００９】
また、本発明の一態様に係る水洗大便器において、好ましくは、吐水口の上下方向の大きさが、後方側よりも前方側の方が小さい。
【００１０】
この構成によれば、吐水口の上下方向の大きさにおいて、後方側よりも前方側の方が小さいので、導水路からより離れた位置（より下流側の位置）である前方側部分の吐水口の流路断面の方が、後方側部分の吐水口の流路断面よりも絞られている。これにより、吐水口から吐水された水は、リム部の内周縁の接線方向に対して勢いよく流れる。そのため、洗浄水がリム部を超えて飛散してしまうことを抑制しつつ、ボウル部内に旋回流を良好に生成することができる。
【００１１】
また、本発明の一態様に係る水洗大便器において、好ましくは、導水路の下流端部には、流れ方向に沿って延びる板面が上下に配向した整流板が設けられている。
【００１２】
この構成によれば、導水路の下流端部には、流れ方向に沿って延びる板面が上下に配向した整流板が設けられているので、吐水口から吐水される水の流れを規制することができる。これにより、吐水口から吐水される水の流れを安定化させることができる。そのため、洗浄水がリム部を超えて飛散してしまうことを抑制しつつ、ボウル部内に旋回流を良好に生成することができる。
【００１３】
また、本発明の一態様に係る水洗大便器において、好ましくは、洗浄水源から導水路に洗浄水を吐水するディストリビューターを備える。
【００１４】
この構成によれば、洗浄水源から導水路に洗浄水を導いて吐水するディストリビューターを備えているので、洗浄水源から吐水口に至るまでの水洗大便器の形状をより簡便にすることができる。そのため、水洗大便器を製造するための型を簡便にすることができ、水洗大便器の生産性を向上させることができる。
また、ディストリビューターを備えていることにより、吐水口から吐水される洗浄水の流れをより安定化させることができる。そのため、洗浄水がリム部を超えて飛散してしまうことをより抑制しつつ、ボウル部内に旋回流を良好に生成することができる。
【発明の効果】
【００１５】
本発明によれば、水洗大便器において、便器本体の洗浄性及び清掃性を維持しつつ、便器本体の意匠性を向上させることができる。
【図面の簡単な説明】
【００１６】
【図１】本発明の第一実施形態に係る水洗大便器の上面図である。
【図２】図１のＩＩ−ＩＩ線に沿って見た断面図である。
【図３】図２のＩＩＩ−ＩＩＩ線に沿って見た断面図である。
【図４】本発明の第一実施形態に係る吐水口の位置についての説明図である。
【図５】本発明の第一実施形態に係る吐水口についての説明図である。
【図６】（ａ）本発明の第一実施形態に係る吐水口の開口を前方から見たときの図である。（ｂ）本発明の第一実施形態に係る吐水口の開口を吐水口の開口と対向する方向から見たときの図である。
【図７】本発明の第一実施形態に係る水洗大便器の水の流れを表した模式図である。
【図８】本発明の第二実施形態に係る水洗大便器の平面断面図である。
【図９】本発明の第三実施形態に係る水洗大便器の正面断面図である。
【発明を実施するための形態】
【００１７】
以下、本発明の実施の形態について添付図面を参照しながら説明する。なお、各図面中、同様の構成要素には同一の符号を付して詳細な説明は適宜省略する。
【００１８】
（第一実施形態）
＜水洗大便器の構成＞
まず、図１〜図３を参照して、本発明の第一実施形態に係る水洗大便器について説明する。なお、以下においては、図中に示す方向を用いて説明する。
【００１９】
図１は、本発明の一実施形態に係る水洗大便器の上面図である。図２は、図１のＩＩ−ＩＩ線に沿って見た断面図である。図３は、図２のＩＩＩ−ＩＩＩ線に沿って見た断面図である。
【００２０】
図１及び図２に示すように、水洗大便器１は、陶器等からなる便器本体２と、洗浄水源であるタンク装置４とを備えている。タンク装置４は、便器本体２の後方側の上方に載置されており、上水道等の給水源（図示せず）に接続されている。このタンク装置４の操作レバーやリモコン（図示せず）等が操作されると、タンク装置４の排出口（図示せず）から便器本体２の中央後方側の上面に開口した供給口６へ洗浄水が供給される。
なお、本実施形態においては、タンク装置４が給水装置としての機能を果たす。
【００２１】
便器本体２の前方側には、内部に汚物等が排出されるボウル部８が形成されており、このボウル部８の下方には、溜水部１０が形成されている。溜水部１０には、所定量の溜水が形成されている。なお、図２に示す水位Ｗ０は、溜水の初期水位である。この溜水部１０の下端には、水洗大便器１の外部へ汚物等を排出するための排水トラップ管路１２の入口１２ａが接続されている。排水トラップ管路１２は、その入口１２ａから後方へと延び、その出口１２ｂが床面に設置された排出管（図示せず）に接続されている。
【００２２】
ボウル部８は、上面視において、全体として略卵形状を有している。ボウル部８は、左右方向について略対称な外形を有する。また、ボウル部８は、ボウル形状の汚物受け面１４と、汚物受け面１４の上縁部に沿って形成されるリム部１６とを有する。
【００２３】
汚物受け面１４は、その下縁部から上縁部に向かって徐々に広がっていくように、すり鉢状に形成されている。言い換えると、汚物受け面１４が、縦方向断面においてその下縁部から上縁部に向かって徐々に拡大するように形成されている。
【００２４】
リム部１６は、汚物受け面１４の上縁部に沿って環状に形成されており、その内周面が鉛直方向に立ち上がるように形成されている。つまり、リム部１６の内周面は、全周にわたって、ボウル部８の内側に向かってオーバーハングすることなく、汚物受け面１４の上縁部から略鉛直方向に延びる平坦面により形成されている。そのため、リム部の内周面がオーバーハングしている場合と比べて、汚れが付着する死角範囲を減少させることができ、かつ、リム部１６の内周面を清掃するときの清掃性を向上させることができる。
【００２５】
また、リム部１６の上方には、図示しない便座が載置されている。この便座は、リム部１６に沿って環状に設けられている。また、上面視において、便座の内周縁は、略全周にわたってリム部１６の内周面よりもボウル部８の内側に庇状にせり出している。
なお、便座の内周縁の全周がリム部１６の内周面よりもボウル部８の内側にせり出していなくてもよく、後述する吐水口１８の上方付近における便座の内周縁がリム部１６の内周面よりもボウル部８の内側に庇状にせり出していればよい。
また、便座の上方に便蓋（図示せず）が設けられていてもよい。
【００２６】
図３に示すように、上面視においてボウル部８の中央よりも後方側の部分であるボウル部８の後半部におけるリム部１６の内周面には、ボウル部８に洗浄水を吐水して汚物受け面１４に旋回流を形成する吐水口１８が開口している。この吐水口１８は、横長形状の開口、つまり、水平方向に長い扁平形状の開口である。また、リム部１６の内周面に形成されている吐水口は、吐水口１８のみである。つまり、ボウル部８に洗浄水を吐水して汚物受け面１４に旋回流を形成する吐水口は、吐水口１８の一穴のみである。
なお、吐水口１８が開口している位置等については、後に詳述する。
【００２７】
便器本体２の後方側上部には、吐水口１８に洗浄水を供給する導水路２０が形成されている。導水路２０は、供給口６から前方に向かって延びる流路であり、供給口６と吐水口１８とを接続する。また、導水路２０の流路底面は、供給口６から吐水口１８側（前方側）に向かって下方に傾斜している。また、導水路２０内に水が残らないように、導水路２０の流路底面の外縁や仕切り壁によって形成される袋小路状流路の奥端から吐水口１８に向かって下方に傾斜しており、導水路２０の下流端部の流路底面が、導水路２０の流路底面のうちで最も低い高さ位置に形成されている。タンク装置４から供給口６へ流入した洗浄水は、この導水路２０を通って吐水口１８へ流れる。
【００２８】
また、導水路２０の下流端部には、上流から下流へ向かって流路断面積が絞られる絞り流路２２が形成されている。本実施形態においては、絞り流路２２は、水平方向の流路幅が絞られた流路であり、後述する整流板２４の下流側に形成されている。
なお、絞り流路２２は、水平方向の流路幅でなく、鉛直方向やその他の方向の流路幅を絞るように形成されていてもよい。また、単一の方向だけでなく、複数の方向の流路幅を絞るように形成されていてもよい。
【００２９】
さらに、導水路２０の下流端部には、流れ方向に沿って延びる板面が上下に配向した整流板２４が設けられている。この整流板２４は、吐水口１８の後方端部から導水路２０内に向かって延びる板状の部分である。図３に示すように、平面断面視において、整流板２４の下流側は、吐水口１８の後部側の縁部に繋がり、吐水口１８の後部側の縁部を形成する周壁面部とともに鋭角状の角部を形成する。導水路２０を流れる洗浄水は、整流板２４によって吐水口１８へ導かれる。また、整流板２４の上端及び下端は、導水路２０の流路を形成している上面及び底面に連続して形成されている。つまり、整流板２４は、便器本体２の一部として設けられている。
【００３０】
＜吐水口について＞
つぎに、図４〜図６を参照して、本発明の第一実施形態に係る吐水口について詳述する。
【００３１】
図４は、本発明の第一実施形態に係る吐水口の位置についての説明図である。図５は、本発明の第一実施形態に係る吐水口についての説明図である。図６の（ａ）は、本発明の第一実施形態に係る吐水口の開口を前方から見たときの正面図である。図６の（ｂ）は、本発明の第一実施形態に係る吐水口の開口を吐水口の開口と対向する方向から見たときの正面図である。
【００３２】
なお、図４及び図５は、図２のＩＩＩ−ＩＩＩ線に沿って見た断面図である。
また、水洗大便器１の上面視を示す図４において、ボウル部８の中央位置をＣ１、吐水口１８の幅の中央位置をＣ２、ボウル部８の中央位置Ｃ１を通り前後方向に沿う直線（左右中心線）をＬ、リム部１６の内周面を表す曲線上の吐水口１８の幅の中央位置Ｃ２における接線をＰ、接線Ｐに対する垂線をＴ、垂線Ｔと左右中心線Ｌとのなす角度をＲで示している。ここで、ボウル部８の中央位置Ｃ１は、リム部１６の内周面の前端と後端を結ぶ線の略中間位置における点である。
さらに、図５及び図６において、吐水口１８を前方（水洗大便器１の前方）から見たときの吐水口１８の幅をＢ１、吐水口１８を垂線Ｔに沿う方向（吐水口１８に正対する方向）から見たときの吐水口１８の幅をＢ２で示している。
また、図６において、吐水口１８を前方から見たときの吐水口１８の開口面積をＳ１、吐水口１８を垂線Ｔに沿う方向から見たときの吐水口１８の開口面積をＳ２で示している。つまり、開口面積Ｓ１は、吐水口１８の前方視における見かけ上の開口面積であり、開口面積Ｓ２は、吐水口１８の実質上の開口面積である。
【００３３】
図４及び図５に示すように、吐水口１８は、ボウル部８の後半部（ボウル部８の中央位置Ｃ１よりも後方側の部分）において、上面視で、ボウル部８の左右中心線Ｌと、リム部１６の内周面を表す曲線上の吐水口１８の幅の中央位置Ｃ２における接線Ｐに対する垂線Ｔとのなす角度Ｒが４５度となる位置よりも前方に形成されている。本実施形態においては、上面視で左右中心線Ｌと垂線Ｔとのなす角度Ｒが４５度となる位置に、吐水口１８が形成されている。
【００３４】
また、吐水口１８の上下方向の大きさにおいて、後方側よりも前方側が小さく形成されている。具体的には、吐水口１８は、その開口の上下方向長さが後方側から前方側に向かって徐々に小さくなるように形成されている（図６参照）。本実施形態では、吐水口１８は、ボウル部８の後半部におけるリム部１６の右側の部分に開口しており、上下方向の長さが左側（図６（ａ）、（ｂ）において右側）から右側（同左側）にかけて徐々に短くなっている。また、吐水口１８は、略横台形状であり、上下方向については略対称的な形状を有する。したがって、吐水口１８は、その開口を形成する辺部として、後方側の長辺部と、前方側の短辺部と、上下の斜辺部とを有する。
さらに、吐水口１８は、汚物受け面１４の上縁（汚物受け面１４とリム部１６の境界）に吐水口１８の下端が接するように形成される。このため、吐水口１８から汚物受け面１４へ万遍なく洗浄水を吐水することができる。さらに、鉛直方向に立ち上がるリム部１６の内周面に吐水口１８が開口しているので、上面視で吐水口１８を見えにくくすることができ、意匠性を向上させることができる。
【００３５】
ここで、吐水口１８は上面視で角度Ｒが４５度となる位置に形成されているので、前方から吐水口１８を見たときの吐水口１８の幅の大きさと、吐水口１８の開口と対向する方向（垂線Ｔに沿う方向）から吐水口１８を見たときの吐水口１８の幅の大きさは異なる。具体的には、吐水口１８の開口と対向する方向（正対する方向）から吐水口１８を見たときの幅Ｂ２よりも、前方から吐水口１８を見たときの吐水口１８の幅Ｂ１の方が小さくなる。より詳しくは、吐水口１８は上面視で角度Ｒが４５度となる位置に形成されているので、Ｂ１とＢ２の大きさの比は、概略、「Ｂ１：Ｂ２＝１：１．４（ルート２相当）」となる。
【００３６】
また、図６に示すように、前方から吐水口１８を見たときの方向と、吐水口１８の開口と対向する方向から吐水口１８を見たときの方向は、どちらも水平面上における方向であるため、前方から見たときと吐水口１８の開口と対向する方向から見たときとで、吐水口１８の上下方向の長さは略変化しない。そのため、前方から吐水口１８を見たときの吐水口１８の開口面積Ｓ１と、吐水口１８の開口と対向する方向から吐水口１８を見たときの開口面積Ｓ２との比は、吐水口１８の幅の大きさの比、つまり、幅Ｂ１と幅Ｂ２の大きさの比に依存する。前述したように、幅Ｂ１と幅Ｂ２の大きさの比は、概略、「Ｂ１：Ｂ２＝１：１．４」であるため、吐水口１８の開口面積Ｓ１と開口面積Ｓ２の比は、概略、「Ｓ１：Ｓ２＝１：１．４」となる。言い換えると、吐水口１８の開口と対向する方向から吐水口１８を見たときの開口面積Ｓ２に比べて、前方から吐水口１８を見たときの吐水口１８の開口面積Ｓ１は、約７０％の大きさとなる。
【００３７】
このように、前方から吐水口１８を見たときの吐水口１８の開口面積Ｓ１は、吐水口１８の開口と対向する方向から吐水口１８を見たときの吐水口１８の開口面積Ｓ２よりも小さい。ここで、仮に吐水口がリム部１６の後端部に形成されているとすると、この吐水口を前方から見たときの吐水口の開口面積は、吐水口１８の開口面積Ｓ２と同一となる。つまり、リム部１６の後端部に形成されている吐水口を前方から見たときよりも、上面視で角度Ｒが４５度となる位置に形成されている吐水口１８を前方から見たときの方が、吐水口がより小さく見える。
また、ボウル部８の後半部において、吐水口１８の位置が上面視で左右中心線Ｌと垂線Ｔとのなす角度Ｒが４５度となる位置よりも前方であるほど、前方に投影された吐水口１８の開口面積Ｓ１は小さくなる、つまり、前方から見たときの吐水口１８がより小さく見える。
【００３８】
本実施形態においては、吐水口１８の位置が上面視で左右中心線Ｌと垂線Ｔとのなす角度Ｒが４５度となる位置である場合を説明したが、より高い意匠性を鑑みると、吐水口１８の位置が上面視で左右中心線Ｌと垂線Ｔとのなす角度Ｒが６０度となる位置よりも前方側であれば、より好ましい。
上面視で角度Ｒが６０度となる位置に吐水口１８が形成されている場合、前方から吐水口１８を見たときの吐水口１８の幅Ｂ１と、吐水口１８の開口と対向する方向から吐水口１８を見たときの吐水口１８の幅の大きさの比は、「Ｂ１：Ｂ２＝１：２」となる。そのため、前方から吐水口１８を見たときの吐水口１８の開口面積Ｓ１と吐水口１８の開口と対向する方向から吐水口１８を見たときの吐水口１８の開口面積Ｓ２の比は、概略、「Ｓ１：Ｓ２＝１：２」となる。言い換えると、吐水口１８の開口と対向する方向から吐水口１８を見たときの吐水口１８の開口面積Ｓ２に比べて、前方から吐水口１８を見たときの吐水口１８の開口面積Ｓ１は、約５０％の大きさとなる。
このように、吐水口１８の位置が角度Ｒが６０度となる位置よりも前方側であれば、前方から吐水口１８を見たときの吐水口１８の開口面積Ｓ１は、吐水口１８の開口と対向する方向から吐水口１８を見たときの吐水口１８の開口面積Ｓ２の半分以下の大きさになるため、高い意匠性を得る観点からより好ましい。
【００３９】
＜動作及び作用＞
つぎに、図７を参照して、本発明の第一実施形態に係る水洗大便器の動作及び作用について説明する。
【００４０】
図７は、本発明の第一実施形態に係る水洗大便器の水の流れを表した模式図である。
なお、図６は、図２のＩＩＩ−ＩＩＩ線に沿って見た断面図である。
【００４１】
図７に示すように、タンク装置４から便器本体２の供給口６へ排出された洗浄水は導水路２０へ流入する。供給口６から導水路２０へ流入した洗浄水は、吐水口１８に向かって前方に流れる。このとき、導水路２０の下流端部には整流板２４が設けられているため、導水路２０を流れる洗浄水は、整流板２４によって吐水口１８に向かって流れが案内されながら流れる。
このように、導水路２０の下流端部には、流れ方向に沿って延びる板面が上下に配向した整流板２４が設けられているので、吐水口１８に対して水の流れを集めることができ、吐水口１８から吐水される水の流れについて方向付けを行うことができる。これにより、吐水口１８から吐水される水の流れを安定化させることができる。そのため、リム部１６の内周面が鉛直方向に立ち上がるように形成された場合であっても、洗浄水がリム部１６を超えて飛散してしまうことを抑制しつつ、ボウル部８内に旋回流を良好に生成することができる。
【００４２】
また、導水路２０の下流端部には絞り流路２２が形成されているので、吐水口１８に向かって流れる洗浄水は安定した流れとなり、洗浄水の勢いが向上する。そして、絞り流路２２を通って水勢が向上した洗浄水は吐水口１８からボウル部８へ吐水され、吐水口１８から吐水された洗浄水によってボウル部８に旋回流が形成される。
このように、導水路２０の下流端部には絞り流路２２が形成されているので、吐水口１８から吐水される洗浄水の勢いを向上させつつ、吐水の流れを規制することができる。加えて、吐水口１８が横長形状の開口であるので、吐水口１８から吐水される洗浄水の上方向の流れ成分を抑制することができる。そのため、本実施形態のように、リム部１６の内周面が鉛直方向に立ち上がるように形成された場合であっても、洗浄水がリム部１６を超えて飛散してしまうことを抑制しつつ、ボウル部８に形成される旋回流の旋回性を向上させることができる。また、本実施形態のようにリム部１６の内周面に形成される吐水口１８が一穴である場合であっても、絞り流路２２によって、洗浄水がリム部１６を超えて飛散してしまうことを抑制しつつ、ボウル部８に形成される旋回流の旋回性を向上させることができる。
【００４３】
さらに、吐水口１８の上下方向の開口の大きさにおいて、後方側よりも前方側の方が小さく形成されているので、導水路２０からより離れた位置（より下流側の位置）である前方側部分の吐水口１８の流路断面の方が、後方側部分の吐水口１８の流路断面よりも絞られている。これにより、吐水口１８からボウル部８へ吐水された洗浄水は、リム部１６の内周面の接線方向に対して勢いよく流れる。そのため、本実施形態のように、リム部１６の内周面が鉛直方向に立ち上がるように形成された場合であっても、洗浄水がリム部１６を超えて飛散してしまうことを抑制しつつ、ボウル部８内に旋回流を良好に生成することができる。
【００４４】
また、上述した本発明の第一実施形態に係る水洗大便器１によれば、ボウル部８の後半部において、上面視で、ボウル部８の左右中心線Ｌと、リム部１６の内周面を表す曲線上の吐水口１８の幅の中央位置Ｃ２における接線Ｐに対する垂線Ｔとのなす角が４５度となる位置よりも吐水口１８が前方に形成されている。これにより、使用者が吐水口１８を視認できる幅寸法を抑制することができ、使用者が吐水口１８を視認しにくくなる。そのため、便器本体２の意匠性を向上させることができる。
加えて、ボウル部８に洗浄水を吐水して旋回流を形成する吐水口１８は、一穴のみで十分な旋回流を形成することができるので、供給口６から吐水口１８に至るまでの流路、例えば導水路２０を簡便に構成することができる。そのため、便器本体２の構造をより簡便にすることができる。また、ボウル部８に洗浄水を吐水して旋回流を形成する吐水口１８は一穴のみである、つまり、リム部１６の内周面には吐水口１８のみが設けられているので、リム部１６の清掃性をより向上させることができる。
【００４５】
さらに、上述した本発明の第一実施形態に係る水洗大便器１によれば、リム部１６の上方には便座が戴置されており、上面視において、便座の内周縁はリム部１６の内周面よりもボウル部８の内側にせり出している。これにより、上方からボウル部８を見たとき、リム部１６の内周面よりも内側にせり出した便座によって、リム部１６の内周面に設けられた吐水口１８が便座の影に隠れる。つまり、例えば水洗大便器１の前方側に立った使用者がボウル部８内を見たとき、リム部１６の内周面に設けられた吐水口１８が便座によって見えにくくなる。そのため、使用者に吐水口１８が視認しにくくなり、水洗大便器１の意匠性を向上させることができる。
【００４６】
以上のように、上述した本発明の第一実施形態に係る水洗大便器１によれば、より簡便な構成で便器本体２の洗浄性及び清掃性を維持しつつ、便器本体２の意匠性を向上させることができる。
【００４７】
（第二実施形態）
つぎに、図８を参照して、本発明の第二実施形態に係る水洗大便器について説明する。
【００４８】
図８は、本発明の第二実施形態に係る水洗大便器の断面図である。
なお、図８は、図２のＩＩＩ−ＩＩＩ線に沿って見た断面図である。
【００４９】
図８に示すように、本発明の第二実施形態に係る水洗大便器１は、洗浄水源であるタンク装置４から導水路２０内へ洗浄水を導いて吐水する樹脂製のディストリビューター２６を備えている。ディストリビューター２６は、洗浄水の流路を構成する管状の部材であり、導水路２０の内部に設けられており、洗浄水源であるタンク装置４と連通している入口２６ａと、洗浄水源からディストリビューター２６内へ供給された洗浄水を導水路２０へ吐出する出口２６ｂとを有している。
【００５０】
ディストリビューター２６の入口２６ａは、供給口６（図１参照）に位置し、タンク装置４の排出口（図示せず）に接続されているとともに、タンク装置４の排出口と連通している。また、ディストリビューター２６の出口２６ｂは、整流板２４の下流であって絞り流路２２よりも上流に開口している。このため、整流板２４は、ディストリビューター２６の出口２６ｂの位置決めを行うガイド部として機能する。このように、ディストリビューター２６は、タンク装置４の排出口が臨む供給口６から絞り流路２２に向かうように、略直線状に配されている。
【００５１】
洗浄水源であるタンク装置４から洗浄水の供給が開始されると、タンク装置４の排出口からディストリビューター２６の入口２６ａに洗浄水が流入する。ディストリビューター２６の入口２６ａから流入した洗浄水は、ディストリビューター２６内の流路を流れて出口２６ｂから導水路２０へ吐水される。そして、ディストリビューター２６の出口２６ｂから導水路２０へ吐水された洗浄水は、絞り流路２２を通って、吐水口１８からボウル部８へ吐水される。
【００５２】
このように、第二実施形態に係る水洗大便器１はディストリビューター２６を備えているので、上述した第一実施形態の効果に加えて、洗浄水源から吐水口１８に至るまでの水洗大便器１の形状、例えば導水路２０の流路形状等をより簡便にすることができる。そのため、水洗大便器１を製造するための型を簡便にすることができ、水洗大便器１の生産性を向上させることができる。
また、ディストリビューター２６を備えていることにより、導水路２０内における水の流れをディストリビューター２６による管路内に規制することができる。これにより、吐水口１８から吐水される洗浄水の流れをより安定化させることができる。また、ディストリビューター２６は、陶器に比べて寸法精度の高い樹脂で形成されているので、水洗大便器１間の吐水流量のバラツキを抑制することができる。そのため、洗浄水がリム部１６を超えて飛散してしまうことをより抑制しつつ、ボウル部８内に旋回流を良好に生成することができる。
【００５３】
なお、第二実施形態に係る水洗大便器１のように、ディストリビューター２６が設けられている場合、整流板２４は設けられていなくてもよい。
また、ディストリビューター２６の流路を延長し、ディストリビューター２６の出口２６ｂは、吐水口１８と略一致する位置に設けられていてもよい。このとき、絞り流路２２は、ディストリビューター２６の内部の流路に形成されていてもよい。
さらに、ディストリビューター２６の流路を短縮し、ディストリビューター２６の出口２６ｂから吐水された洗浄水が整流板２４に導かれて吐水口１８に向かって流れるように、ディストリビューター２６の出口２６ｂが整流板２４の上流に設けられていてもよい。
【００５４】
（第三実施形態）
つぎに、図９を参照して、本発明の第三実施形態に係る水洗大便器について説明する。
【００５５】
図９は、本発明の第三実施形態に係る水洗大便器の断面図である。
なお、図９は、図４のＶＩ−ＶＩ線に沿って見た断面図である。
【００５６】
図９に示すように、本発明の第三実施形態に係る水洗大便器１は、吐水口１８を隠蔽する吐水口カバー２８を備えている。この吐水口カバー２８は、リム部１６の内周面に設けられている。また、吐水口カバー２８は、吐水口１８全体を覆って隠蔽する板状のカバー本体２８ａと、リム部１６の内周面であってカバー本体２８ａの上端に設けられる軸支部２８ｂとを有している。このカバー本体２８ａは、その上縁部が軸支部２８ｂによって横方向を回動軸方向として吐水口１８の開口方向（リム部１６の内側に向かう方向）に回動可能に軸支されている。
【００５７】
タンク装置４から洗浄水の供給が行われていない状態では、このカバー本体２８ａは、カバー本体２８ａの自重によって重下状態となっており、吐水口１８を覆って隠蔽した状態に近づくように付勢されている。このため、タンク装置４から洗浄水の供給が行われていない状態では、吐水口１８は、吐水口カバー２８のカバー本体２８ａによって隠蔽されるとともに閉塞されている。
なお、吐水口カバー２８は、軸支部２８ｂによりカバー本体２８ａをリム部１６の内側に向かう方向に付勢するように支持する構成であってもよい。この場合、カバー本体２８ａを付勢する手段として、軸支部２８ｂに例えばバネ等が設けられる。
【００５８】
また、タンク装置４から便器本体２へ洗浄水が供給されて、導水路２０から吐水口１８へ水が流れると、導水路２０から吐水口１８へ流れる水の勢いによって、軸支部２８ｂを軸にカバー本体２８ａがリム部１６の内側に向かって回動し、吐水口１８が開いた状態となる。そして、吐水口１８からボウル部８へ洗浄水が吐水される。タンク装置４からの洗浄水の供給が停止すると、カバー本体２８ａはカバー本体２８ａの自重によって重下した状態となり、吐水口１８を覆って隠蔽した状態に近づくように付勢され、カバー本体２８ａによって吐水口１８が隠蔽されるとともに閉塞される。
【００５９】
このように、第三実施形態に係る水洗大便器１は吐水口１８を隠蔽する吐水口カバー２８を備えているので、上述した第一実施形態の効果に加えて、吐水口１８をより確実に隠蔽することができる。これにより、使用者が吐水口１８を視認しにくくなり、水洗大便器１の意匠性をより向上させることができる。
【００６０】
なお、第三実施形態に係る水洗大便器１のように、吐水口カバー２８が設けられている場合、吐水口１８をより確実に隠蔽することができるので、吐水口１８は、ボウル部８の後半部において、上面視で左右中心線Ｌと垂線Ｔとのなす角度Ｒが４５度となる位置よりも前方に形成されていなくてもよい。例えば、吐水口１８は、ボウル部８の後半部において、上面視で左右中心線Ｌと垂線Ｔとのなす角度Ｒが４５度となる位置よりも後方（角度Ｒが４５度よりも小さくなる側）に形成されていてもよい。
【００６１】
（変形例）
以上、本発明の実施形態について説明したが、本発明は上述した実施形態に限定されるものではない。
【００６２】
例えば、タンク装置４が給水装置として機能を果たす構成を説明したが、タンク装置４以外の給水装置、例えばフラッシュバルブ等が設けられていてもよい。
【００６３】
また、溜水部１０、もしくは、汚物受け面１４において、洗浄水を吐水してボウル部８から排水トラップ管路１２へ効率よく汚物を排出するゼット吐水穴が設けられていてもよい。
【００６４】
また、整流板２４は、便器本体２と一体的に設けられる構成を説明したが、便器本体２と別体で構成されていてもよい。また、例えば、整流板２４は、導水路２０の底面から立設するように設けられてもよい。
【００６５】
また、角度Ｒは、ボウル部８の左右中心線Ｌと垂線Ｔのなす角度である構成を説明したが、ボウル部８の左右中心線Ｌと垂線Ｔのなす角度でなくてもよく、前後方向に沿う直線、つまり、左右中心線Ｌに平行な線と垂線Ｔのなす角度であればよい。
【００６６】
また、ディストリビューター２６は樹脂で形成されている構成を説明したが、導水路２０内における水の流れをディストリビューター２６による管路内に規制することが可能な材料で形成されていればよい。
【００６７】
前述した各実施の形態が備える各要素は、技術的に可能な限りにおいて組み合わせることができ、これらを組み合わせたものも本発明の特徴を含む限り本発明の範囲に包含される。
【符号の説明】
【００６８】
１    水洗大便器
２    便器本体
４    タンク装置
６    供給口
８    ボウル部
１０    溜水部
１２    排水トラップ管路
１２ａ  入口
１２ｂ  出口
１４    汚物受け面
１６    リム部
１８    吐水口
２０    導水路
２２    絞り流路
２４    整流板
２６    ディストリビューター
２６ａ  入口
２６ｂ  出口
２８    吐水口カバー
２８ａ  カバー本体
２８ｂ  軸支部
Ｂ１、Ｂ２  前方に投影した吐水口の幅
Ｃ１    ボウル部の中央位置
Ｃ２    吐水口の幅の中央位置
Ｌ    左右中心線
Ｐ    接線
Ｒ    角度
Ｓ１、Ｓ２  前方に投影した吐水口の開口面積
Ｔ    垂線
Ｗ０    初期水位
【図１】
2017160656.tif 000003
【図２】
2017160656.tif 000004
【図３】
2017160656.tif 000005
【図４】
2017160656.tif 000006
【図５】
2017160656.tif 000007
【図６】
2017160656.tif 000008
【図７】
2017160656.tif 000009
【図８】
2017160656.tif 000010
【図９】
2017160656.tif 000011